(57)【要約】【課題】    保湿キャップ装着時の保湿を完全なものにすると共に、使用時においては空気孔を介して穂の基端部の基端面から供給される空気によって、好ましい態様の「擦れ」を実現する。【解決手段】  軸管２の一端側に穂９が取り付けられた毛筆であって、軸管２の一端側に取り付けて穂９を密閉保護する保湿キャップ１０と、穂９の基端面９ｂと僅かの隙間空間７を介して対面するように軸管２内に設けられた節部６と、隙間空間７から軸管２の外部へと連通する空気孔８と、を備え、この空気孔８を、保湿キャップ１０を装着した際、該保湿キャップ１０内に連通させる。【選択図】図１
2013052634.tif 000002
【特許請求の範囲】
【請求項１】
軸管の一端側に穂が取り付けられた毛筆であって、
前記軸管の一端側に取り付けて前記穂を密閉保護する保湿キャップと、
前記穂の基端面と僅かの隙間空間を介して対面するように前記軸管内に設けられた節部と、
前記隙間空間から前記軸管の外部へと連通する空気孔と、を備え、
当該空気孔は、前記保湿キャップを装着した際、該保湿キャップ内に連通する
ことを特徴とする毛筆。
【請求項２】
中実軸の一端面に形成された凹部に穂が差込取り付けられた毛筆であって、
前記中実軸の一端側に取り付けて前記穂を密閉保護する保湿キャップと、
前記穂の基端面と前記凹部底面の間に形成された隙間空間と、
前記隙間空間から前記中実軸の外部へと連通する空気孔と、を備え、
当該空気孔は、前記保湿キャップを装着した際、該保湿キャップ内に連通する
ことを特徴とする毛筆。
【請求項３】
軸管の一端側に穂が取り付けられた毛筆であって、
前記軸管の一端側に取り付けて前記穂を密閉保護する保湿キャップと、
前記穂の基端面と面接するように前記軸管内に設けられた節部と、
前記節部よりも前記軸管の一端側に設けられ前記軸管の内部から前記軸管の外部へと連通する空気孔と、を備え、
当該空気孔は、前記保湿キャップを装着した際、該保湿キャップ内に連通する
ことを特徴とする毛筆。
【請求項４】
中実軸の一端面に形成された凹部に穂が差込取り付けられた毛筆であって、
前記中実軸の一端側に取り付けて前記穂を密閉保護する保湿キャップと、
前記穂の基端面が前記凹部底面に面接するように前記穂が差込取り付けられ、
前記凹部底面よりも前記中実軸の一端側に設けられ前記凹部の内部から前記軸管の外部へと連通する空気孔と、を備え、
当該空気孔は、前記保湿キャップを装着した際、該保湿キャップ内に連通する
ことを特徴とする毛筆。
【発明の詳細な説明】
【技術分野】
【０００１】
本発明は毛筆に関し、特に書道で使用する毛筆の技術分野に関する。
【背景技術】
【０００２】
近年においても小中学校などの授業において書道を学ぶ機会が設けられている。このとき書道の授業が終わると筆（毛筆）を綺麗に洗浄して収納するのが一般的である。これは墨汁が残ったまま収納してしまうと乾燥により筆の穂先が固まってしまい（特に墨汁に含まれる膠成分により固まってしまう。）、次回使用時において穂先を解す必要があり、この時に穂先を傷めてしまう（特に小中学生の場合顕著である。）からである。
【０００３】
しかしながら、墨汁を完全に洗い落とすには相当程度の時間がかかるため（特に生徒全員が完了するには時間を要する。）、時間制限のある授業の中でこれを行うと最も重要な「書く」時間が大きく短縮されてしまう。更に大量の水を使用するので学校側の水道使用量が増えるといった問題もあった。
【０００４】
そこで最近の多くの学校では、使用した筆の洗浄を学校内で行うのではなく、穂先に墨汁を含んだままの状態で家に持ち帰り、各家庭内で筆を洗浄するという形式が採用されている。
【０００５】
また、穂先を保湿する目的で特許文献１に示されるような毛筆用保湿サックも提案されている。この毛筆用保湿サックは、弾性パッキンなどを用いた構造を採用することによって穂先を密閉して保湿するというものである。
【先行技術文献】
【特許文献】
【０００６】
【特許文献１】登録実用新案３０５２４１２号公報
【発明の概要】
【発明が解決しようとする課題】
【０００７】
しかしながら、図７に示しているように、学校の授業で使用される毛筆５０は中空部５４を有する軸管５２の一端に穂６０が差し込んで取り付けられただけというような比較的簡易構造のものが殆どである。即ち、穂６０の基端部６２（軸管５２に差し込まれている部分）の端面６４が、軸管５２の中空部５４に露出しているのである。
【０００８】
このような構造の毛筆に、例えば特許文献１の毛筆用保湿サックを取り付けたとしても、穂６０に蓄えられた水分が穂６０の基端部６２の端面６４及び中空部５４を介して大気に放出されるので、時間の経過と共に穂６０は乾燥し固まってしまう。
【０００９】
一方で、端面６４の中空部５４への露出は書道技術面からも意味がある。具体的には、穂６０に含まれた墨汁が紙へと移動する際に当該端面６４から空気が穂６０側へと供給されることによって穂６０から紙へのスムースな墨汁の移動が実現されると共に好ましい態様での「擦れ」の発生が実現されているのである。
【００１０】
よって、穂６０の基端部６２の端面６４に面接するように、例えば「節」様の構造体を軸管５２内に設けると、端面６４を介しての水分の放出は抑制できるものの、好ましい態様での「擦れ」の発生を実現できないといった問題がある。
【００１１】
本発明は、上記課題を解決した毛筆を提供するものである。
【課題を解決するための手段】
【００１２】
上記課題を解決するべく、軸管の一端側に穂が取り付けられた毛筆であって、前記軸管の一端側に取り付けて前記穂を密閉保護する保湿キャップと、前記穂の基端面と僅かの隙間空間を介して対面するように前記軸管内に設けられた節部と、前記隙間空間から前記軸管の外部へと連通する空気孔と、を備え、当該空気孔は、前記保湿キャップを装着した際、該保湿キャップ内に連通することを特徴とする。又は、中実軸の一端面に形成された凹部に穂が差込取り付けられた毛筆であって、前記中実軸の一端側に取り付けて前記穂を密閉保護する保湿キャップと、前記穂の基端面と前記凹部底面の間に形成された隙間空間と、前記隙間空間から前記中実軸の外部へと連通する空気孔と、を備え、当該空気孔は、前記保湿キャップを装着した際、該保湿キャップ内に連通することを特徴とする。
【００１３】
このような構造を採用したことによって、保湿キャップ装着時の保湿を完全なものにすると共に、使用時においては空気孔を介して穂の基端部の端面から供給される空気によって、好ましい態様の「擦れ」を実現することができる。
【発明の効果】
【００１４】
本発明を適用することで、保湿キャップ装着時の保湿を完全なものにすると共に、使用時においては空気孔を介して穂の基端部の基端面から供給される空気によって、好ましい態様の「擦れ」を実現することができる。
【図面の簡単な説明】
【００１５】
【図１】本発明に係る毛筆の全体断面図である。
【図２】本発明に係る毛筆の先端部拡大断面図である。
【図３】保湿キャップの第２実施例を示した断面図である。
【図４】保湿キャップの第３実施例を示した断面図である。
【図５】保湿キャップの第４実施例を示した断面図である。
【図６】保湿キャップの第５実施例を示した断面図である。
【図７】従来の毛筆の概略構成図である。
【発明を実施するための形態】
【００１６】
以下、添付図面を参照しつつ、本発明の実施形態の一例である毛筆について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１７】
〈毛筆の構成〉
本発明に係る毛筆１は、図に示しているように、中空部３を有する軸管２の一端側に穂９が取り付けられた構成とされている。穂９は毛が束ねられて構成されていて、穂９の基端部９ａが軸管２の中空部３に差し込まれて固定されている。
【００１８】
軸管２の先端側（穂９が備わっている側）には、穂９の基端部９ａの基端面９ｂに僅かの隙間空間７が形成される態様で、即ち基端面９ｂと非接触に対面するように節部６が形成されている。この節部６を境に軸管２の中空部３は軸管２の長手方向に完全に分離遮断されている。
【００１９】
軸管２の外周面であって、前述した節部６が形成されている位置よりも僅かに後端（穂９が備わっていない側）には、円周方向に盛り上がる態様で保湿キャップ１０（詳細は後述する。）が嵌合する嵌合部５が形成されている。なお図面上は嵌め込み式の嵌合部として図示しているが、それ以外にも例えばねじ込み式などある程度の密閉性を確保できる種々の構造を採用してもよい。
【００２０】
保湿キャップ１０は、軸管２に装着時、穂９全体を覆って密閉することができる内部空間１０ａを有している、図示していないが断面外周及び断面内周は円形に成形されている。また保湿キャップ１０の先端は半球形状に形成されている。
【００２１】
軸管２には、節部６と穂９の基端部９ａの基端面９ｂとの間に形成されている隙間空間７から軸管２の外部に連通する空気孔８が２箇所設けられている。もちろん空気孔８の大きさや数は適宜調整変更することができる。この空気孔８は軸管２の嵌合部５よりも先端側（穂６が備わっている側）に開口しているので、保湿キャップ１０を軸管２に装着すると、この空気孔８は保湿キャップ１０の内部に連通することとなる。
【００２２】
〈毛筆の作用・機能〉
本発明に係る毛筆１の使用方法は基本的には一般的な毛筆の使用方法と変わるところがない。当然であるが、毛筆１を使って字を書く場合先端に装着されている保湿キャップ１０を取り除いて使用する。穂９を墨汁に浸すと、浸透圧によって穂９の表面及び内部に墨汁が浸透する。この状態で紙面上に穂９を置いて滑らせると、穂９に浸透している墨汁は紙面側に移動する。このとき、本発明に係る毛筆１においては、空気孔８を介して穂９の基端面９ｂから空気が供給されるので、穂９に含まれている墨汁が速やかに紙面側に移動できると共に、好ましい態様で「擦れ」を発生させることができる。
【００２３】
一方、毛筆１の使用後においては、墨汁を洗い流さずに（もちろん洗い流すことも可能である。）そのまま保湿キャップ１０を軸管２の先端に嵌合させて取り付ける。本発明に係る毛筆１では、軸管２に節部６が設けられて中空部３が完全に分離遮断されているので、中空部３側に穂９の水分が放出されることはない。更に保湿キャップ１０を装着すると、隙間空間７から連通する空気孔８は当該保湿キャップ１０内に連通しているので、穂９の水分は保湿キャップ１０内を単に循環するだけであり、水分が外部へ放出されて穂９が固まってしまうこともない。
【００２４】
本発明にかかる毛筆１を利用すれば、授業後に穂９を洗浄せずに自宅等に持ち帰っても穂９が乾燥して固まることがないばかりか、そのままの状態で次回の授業まで穂９を固めることなく保存しておくことも可能となる。また、授業時間中に穂９の洗浄を行う必要がないので、授業時間をより有効に利用することも可能となる。
【００２５】
〈その他の構成例〉
上記構成以外にも、例えば図３に示しているように、保湿キャップ１１０の開口部１１０ａに、内側に折り返された折り返し部１１０ｂが開口部全周に渡って形成されていてもよい。これにより穂の水分が保湿キャップ１１０内に垂れ落ちた場合でも、保湿キャップ取り外し時に墨汁が漏れ出るのを防止することができる。
【００２６】
また、例えば図４に示しているように、保湿キャップ２１０の内周面にスポンジ等で構成された水分吸収剤２１０ｃが取り付けられていてもよい。これにより、保湿キャップ２１０取り外し時の墨汁の漏れをより一層防止することができる。
【００２７】
また、例えば図５に示しているように、保湿キャップ３１０の開口部近傍の内周面３１０ｄが、開口部３１０ａに近付くほど細くなるようにテーパに形成されていてもよい。これにより保湿キャップ３１０を倒して載置した場合でも、中の墨汁が漏れ出るのを防止することができる。
【００２８】
また、例えば図６に示しているように、保湿キャップ４１０の先端付近に重り４１０ｅが取り付けられており、保湿キャップ４１０単体を平面に載置すると当該重り４１０ｅの存在によって保湿キャップ４１０が起き上がる構成としてもよい。これにより取り外した保湿キャップ４１０は自ら起き上がるので、キャップ内に垂れ落ちた墨汁を意図せず溢してしまうことがない。
【００２９】
また、上記では毛筆の軸部分が中空の軸管であることを前提に説明しているが、所謂中実の軸であっても同様に適用することが可能である。即ち、中実軸の一端面に形成された凹部に穂が差込取り付けられた毛筆であって、前記中実軸の一端側に取り付けて前記穂を密閉保護する保湿キャップと、前記穂の基端面と前記凹部底面の間に形成された隙間空間と、前記隙間空間から前記中実軸の外部へと連通する空気孔と、を備え、当該空気孔は、前記保湿キャップを装着した際、該保湿キャップ内に連通する構成とすることにより同様の作用効果を実現することが可能となる。
【００３０】
また上記では軸管の一端側にのみ穂が形成されている毛筆で説明しているが、例えば、軸管の両端に穂が形成されている毛筆にも同様に適用することが可能であり、軸管の両端に穂が形成されている事をもって本発明の概念を逸脱するものではない。
【００３１】
また、擦れを発生させる機能は若干劣る事となるものの、隙間空間を形成することなく構成することも可能である。要するに、空気孔を、穂の基端部の端面ではなく側面側から軸の外に向かって形成するのである。即ち、軸管の一端側に穂が取り付けられた毛筆であって、前記軸管の一端側に取り付けて前記穂を密閉保護する保湿キャップと、前記穂の基端面と面接するように前記軸管内に設けられた節部と、前記節部よりも前記軸管の一端側に設けられ前記軸管の内部から前記軸管の外部へと連通する空気孔と、を備え、当該空気孔は、前記保湿キャップを装着した際、該保湿キャップ内に連通することを特徴とする毛筆、若しくは、中実軸の一端面に形成された凹部に穂が差込取り付けられた毛筆であって、前記中実軸の一端側に取り付けて前記穂を密閉保護する保湿キャップと、前記穂の基端面が前記凹部底面に面接するように前記穂が差込取り付けられ、前記凹部底面よりも前記中実軸の一端側に設けられ前記凹部の内部から前記軸管の外部へと連通する空気孔と、を備え、当該空気孔は、前記保湿キャップを装着した際、該保湿キャップ内に連通することを特徴とする毛筆である。
【００３２】
また、保湿キャップを嵌め込み式やねじ込み式で構成した場合、保湿キャップの開口部（リップ部分）やねじの材質をＰＴＦＥ（ポリテトラフルオロエチレン）や高分子ポリエチレンなどで形成することで、嵌合部分や螺合部分の乾燥が進んだ場合にも簡単にキャップを取り外す事ができる。
【符号の説明】
【００３３】
１・・・毛筆
２・・・軸管
３・・・中空部
４・・・内周面
５・・・嵌合部
６・・・節部
７・・・隙間空間
８・・・空気孔
９・・・穂
９ａ・・・基端部
９ｂ・・・端面
１０・・・保湿キャップ
【図１】
2013052634.tif 000003
【図２】
2013052634.tif 000004
【図３】
2013052634.tif 000005
【図４】
2013052634.tif 000006
【図５】
2013052634.tif 000007
【図６】
2013052634.tif 000008
【図７】
2013052634.tif 000009